(57)【要約】【課題】  通話中にも任意の電話帳データを参照して通知可能な移動電話機を提供する。【解決手段】  移動電話機１は通話状態にある時、通話相手から電話番号の通知依頼があると、電話帳機能ブロック１２を起動し、オフフック状態となる。移動電話機１は電話帳機能ブロック１２からキー入力ブロック１９のキー操作に該当する電話番号を検索し、検索したデータを表示ブロック２０に表示し、検索結果記憶ブロック１３に文字列として記憶する。移動電話機１は検索結果記憶ブロック１３に文字列として記憶した電話番号を音声合成処理ブロック１４にて音声データとして変換し、通話可能なオンフック状態となってから、音声入力処理ブロック１５及び携帯電話基本機能制御ブロック１１を経由して通話相手に通知し、再度通話状態に戻る。【選択図】      図１
2007053508.tif 000002
【特許請求の範囲】
【請求項１】
少なくとも電話番号を蓄積しかつ当該電話番号の検索が可能な電話帳機能を含む移動電話機であって、
通話中に所定操作が行われたことを検出した時に前記電話帳機能を起動する起動手段と、前記起動手段に起動された前記電話帳機能による外部指示に対する検索結果を保持する保持手段と、前記保持手段に保持された検索結果を音声データに変換する変換手段とを有し、前記音声データを前記通話中の通話先に通知することを特徴とする移動電話機。
【請求項２】
前記保持手段に保持された検索結果を表示手段に表示し、前記表示手段に表示された検索結果を自装置に装着された外部通話装置から前記通話先へ音声通知自在としたことを特徴とする請求項１記載の移動電話機。
【請求項３】
少なくとも電話番号を蓄積しかつ当該電話番号の検索が可能な電話帳機能と、前記電話帳機能の検索結果を表示可能な表示手段とを含む移動電話機であって、
通話中に所定操作が行われたことを検出した時に前記電話帳機能を起動する起動手段と、前記起動手段に起動された前記電話帳機能による外部指示に対する検索結果を保持する保持手段と、前記保持手段に保持された検索結果を前記表示手段に表示する手段とを有し、前記表示手段に表示された検索結果を自装置に装着された外部通話装置から前記通話先へ音声通知自在としたことを特徴とする移動電話機。
【請求項４】
前記電話帳機能は、前記電話番号以外に少なくとも電子メールアドレス及び住所を蓄積し、前記電子メールアドレス及び前記住所を前記検索結果として出力自在としたことを特徴とする請求項１から請求項３のいずれか記載の移動電話機。
【請求項５】
少なくとも電話番号を蓄積しかつ当該電話番号の検索が可能な電話帳機能を含む移動電話機に用いる電話帳データ音声通知方法であって、
前記移動電話機が、通話中に所定操作が行われたことを検出した時に前記電話帳機能を起動する処理と、その起動された前記電話帳機能による外部指示に対する検索結果を保持手段に保持する処理と、その保持された検索結果を音声データに変換する処理とを実行し、前記音声データを前記通話中の通話先に通知することを特徴とする電話帳データ音声通知方法。
【請求項６】
前記保持手段に保持された検索結果を表示手段に表示し、前記表示手段に表示された検索結果を自装置に装着された外部通話装置から前記通話先へ音声通知自在としたことを特徴とする請求項１記載の電話帳データ音声通知方法。
【請求項７】
少なくとも電話番号を蓄積しかつ当該電話番号の検索が可能な電話帳機能と、前記電話帳機能の検索結果を表示可能な表示手段とを含む移動電話機に用いる電話帳データ音声通知方法であって、
前記移動電話機が、通話中に所定操作が行われたことを検出した時に前記電話帳機能を起動する処理と、その起動された前記電話帳機能による外部指示に対する検索結果を保持手段に保持する処理と、その保持された検索結果を前記表示手段に表示する処理とを実行し、前記表示手段に表示された検索結果を自装置に装着された外部通話装置から前記通話先へ音声通知自在としたことを特徴とする電話帳データ音声通知方法。
【請求項８】
前記電話帳機能は、前記電話番号以外に少なくとも電子メールアドレス及び住所を蓄積し、前記電子メールアドレス及び前記住所を前記検索結果として出力自在としたことを特徴とする請求項５から請求項７のいずれか記載の電話帳データ音声通知方法。
【請求項９】
少なくとも電話番号を蓄積しかつ当該電話番号の検索が可能な電話帳機能を含む移動電話機に用いる電話帳データ音声通知方法のプログラムであって、前記移動電話機のコンピュータに、通話中に所定操作が行われたことを検出した時に前記電話帳機能を起動する処理と、その起動された前記電話帳機能による外部指示に対する検索結果を保持手段に保持する処理と、その保持された検索結果を音声データに変換する処理とを実行させ、前記音声データを前記通話中の通話先に通知させるためのプログラム。
【請求項１０】
少なくとも電話番号を蓄積しかつ当該電話番号の検索が可能な電話帳機能と、前記電話帳機能の検索結果を表示可能な表示手段とを含む移動電話機に用いる電話帳データ音声通知方法のプログラムであって、前記移動電話機のコンピュータに、通話中に所定操作が行われたことを検出した時に前記電話帳機能を起動する処理と、その起動された前記電話帳機能による外部指示に対する検索結果を保持手段に保持する処理と、その保持された検索結果を前記表示手段に表示する処理とを実行させ、前記表示手段に表示された検索結果を自装置に装着された外部通話装置から前記通話先へ音声通知自在とさせるためのプログラム。
【発明の詳細な説明】
【技術分野】
【０００１】
本発明は移動電話機及び電話帳データ音声通知方法並びにそのプログラムに関し、特に移動電話機の電話帳（またはアドレス帳）機能に関する。
【背景技術】
【０００２】
従来、移動電話機においては、電話帳（またはアドレス帳）機能があり、氏名、電話番号、電子メールアドレス等の登録及び参照を行うことができる。電話番号の登録や参照は、通常、待受中の状態でのみ可能であり、例えば通話相手から「○○さんの電話番号を教えてください」のような要求があった場合、電話帳に登録済みであることは利用者に分かっていても、通話中には音量調節や通話切断以外の処理が不可能であり、電話帳を開くことができず、一度通話を切断して、電話帳で確認してから再度相手への通話を行うしか方法がない。
【０００３】
これに対し、利用者が自局電話番号を送るためにキー入力装置を操作すると、主制御装置が自局電話番号記憶装置に記録されている自局電話番号情報を参照し、自局電話番号情報にしたがってチャネルコーデックに音声情報記憶装置の音声情報を送り込むことで、自局電話番号を携帯電話装置の表示装置に表示させることなく、通話中に自局電話番号を通話相手に音声で送出することを可能にする技術が提案されている（例えば、特許文献１参照）。
【０００４】
【特許文献１】特開平１１−２０５８５２号公報
【発明の開示】
【発明が解決しようとする課題】
【０００５】
上述した従来の移動電話機では、通話中に音量調節等の通話に関わる処理のみしか動作しないため、それ以外の機能を利用することができないという問題がある。
【０００６】
そこで、本発明の目的は上記の問題点を解消し、通話中にも任意の電話帳データを参照して通知することができる移動電話機及び電話帳データ音声通知方法並びにそのプログラムを提供することにある。
【課題を解決するための手段】
【０００７】
本発明による移動電話機は、少なくとも電話番号を蓄積しかつ当該電話番号の検索が可能な電話帳機能を含む移動電話機であって、
通話中に所定操作が行われたことを検出した時に前記電話帳機能を起動する起動手段と、前記起動手段に起動された前記電話帳機能による外部指示に対する検索結果を保持する保持手段と、前記保持手段に保持された検索結果を音声データに変換する変換手段とを備え、前記音声データを前記通話中の通話先に通知している。
【０００８】
本発明による他の移動電話機は、少なくとも電話番号を蓄積しかつ当該電話番号の検索が可能な電話帳機能と、前記電話帳機能の検索結果を表示可能な表示手段とを含む移動電話機であって、
通話中に所定操作が行われたことを検出した時に前記電話帳機能を起動する起動手段と、前記起動手段に起動された前記電話帳機能による外部指示に対する検索結果を保持する保持手段と、前記保持手段に保持された検索結果を前記表示手段に表示する手段とを備え、前記表示手段に表示された検索結果を自装置に装着された外部通話装置から前記通話先へ音声通知自在としている。
【０００９】
本発明による電話帳データ音声通知方法は、少なくとも電話番号を蓄積しかつ当該電話番号の検索が可能な電話帳機能を含む移動電話機に用いる電話帳データ音声通知方法であって、
前記移動電話機が、通話中に所定操作が行われたことを検出した時に前記電話帳機能を起動する処理と、その起動された前記電話帳機能による外部指示に対する検索結果を保持手段に保持する処理と、その保持された検索結果を音声データに変換する処理とを実行し、前記音声データを前記通話中の通話先に通知している。
【００１０】
本発明による他の電話帳データ音声通知方法は、少なくとも電話番号を蓄積しかつ当該電話番号の検索が可能な電話帳機能と、前記電話帳機能の検索結果を表示可能な表示手段とを含む移動電話機に用いる電話帳データ音声通知方法であって、
前記移動電話機が、通話中に所定操作が行われたことを検出した時に前記電話帳機能を起動する処理と、その起動された前記電話帳機能による外部指示に対する検索結果を保持手段に保持する処理と、その保持された検索結果を前記表示手段に表示する処理とを実行し、前記表示手段に表示された検索結果を自装置に装着された外部通話装置から前記通話先へ音声通知自在としている。
【００１１】
本発明による電話帳データ音声通知方法のプログラムは、少なくとも電話番号を蓄積しかつ当該電話番号の検索が可能な電話帳機能を含む移動電話機に用いる電話帳データ音声通知方法のプログラムであって、前記移動電話機のコンピュータに、通話中に所定操作が行われたことを検出した時に前記電話帳機能を起動する処理と、その起動された前記電話帳機能による外部指示に対する検索結果を保持手段に保持する処理と、その保持された検索結果を音声データに変換する処理とを実行させ、前記音声データを前記通話中の通話先に通知させている。
【００１２】
本発明による他の電話帳データ音声通知方法のプログラムは、少なくとも電話番号を蓄積しかつ当該電話番号の検索が可能な電話帳機能と、前記電話帳機能の検索結果を表示可能な表示手段とを含む移動電話機に用いる電話帳データ音声通知方法のプログラムであって、前記移動電話機のコンピュータに、通話中に所定操作が行われたことを検出した時に前記電話帳機能を起動する処理と、その起動された前記電話帳機能による外部指示に対する検索結果を保持手段に保持する処理と、その保持された検索結果を前記表示手段に表示する処理とを実行させ、前記表示手段に表示された検索結果を自装置に装着された外部通話装置から前記通話先へ音声通知自在とさせている。
【００１３】
すなわち、本発明の移動電話機は、通話中に電話帳データを参照可能とし、その参照結果を通話相手に音声で通知可能としたことを特徴としている。
【００１４】
本発明の移動電話機では、通話中に自局番号の通知ではなく、電話帳機能の抑止を行わず、電話帳機能の使用を可能とし、電話帳を起動して該当する電話番号を参照するとともに、その参照結果を通話相手に自動音声にて音声通知することによって、上述したような要求に対し、迅速に対応することが可能となる。
【発明の効果】
【００１５】
本発明は、以下に述べるような構成及び動作とすることで、通話中にも任意の電話帳データを参照して通知することができるという効果が得られる。
【発明を実施するための最良の形態】
【００１６】
次に、本発明の実施例について図面を参照して説明する。図１は本発明の一実施例による移動電話機の構成を示すブロック図である。図１において、移動電話機１は音声通話等の制御を行う携帯電話基本機能制御ブロック１１と、電話番号を記憶・参照する電話帳機能ブロック１２と、音声通話での通話を司る音声入力処理ブロック１５と、マイク１６と、音声出力処理ブロック１７と、スピーカ１８と、キー操作を司るキー入力ブロック１９と、表示ブロック２０と、検索した電話帳データを記憶する検索結果記録ブロック１３と、検索した電話帳データを通話相手に音声通知する音声合成処理ブロック１４とから構成されている。
【００１７】
携帯電話基本機能制御ブロック１１は携帯電話基本機能の制御と上記の各ブロックの制御とを行うＣＰＵ（中央処理装置）１１ａと、ＣＰＵ１１ａが実行するプログラムを格納する記憶媒体１１ｂとを備えている。また、携帯電話基本機能制御ブロック１１の構成については、当業者にとってよく知られており、また本発明とは直接関係しないので、その詳細な構成についての説明は省略する。
【００１８】
図２は本発明の一実施例による移動電話機１の動作を示すフローチャートである。これら図１及び図２を参照して本発明の一実施例による移動電話機１の動作について説明する。尚、図２に示す処理動作はＣＰＵ１１ａが記憶媒体１１ｂに格納されたプログラムを実行することで実現される。
【００１９】
移動電話機１は通話状態（話中）にある時（図２ステップＳ１）、通話相手から電話番号の通知依頼があり、キー入力ブロック１９のキー操作が行われると、電話帳機能ブロック１２を起動し（図２ステップＳ２）、オフフック状態となる（図２ステップＳ３）。
【００２０】
移動電話機１は電話帳機能ブロック１２からキー入力ブロック１９のキー操作に該当する電話番号を検索する（図２ステップＳ４）。移動電話機１は検索が終了すると（図２ステップＳ５）、検索したデータを表示ブロック２０に表示し、同時に検索結果記憶ブロック１３に検索した電話番号を文字列として記憶する（図２ステップＳ６）。
【００２１】
その後、移動電話機１は電話帳機能ブロック１２を終了すると（図２ステップＳ７）、検索結果記憶ブロック１３に文字列として記憶した電話番号を音声合成処理ブロック１４にて音声データとして変換する。続いて、移動電話機１は通話可能なオンフック状態となり（図２ステップＳ８）、通話を再開し（図２ステップＳ９）、音声合成処理ブロック１４にて変換された音声データを音声入力処理ブロック１５及び携帯電話基本機能制御ブロック１１を経由して通話相手に通知し（図２ステップＳ１０）、再度通話状態（話中）に戻る（図２ステップＳ１）。
【００２２】
このように、本実施例では、従来の移動電話機において、通話中に機能が抑止されていた電話帳機能を起動するようにしているので、通話を切ることなく、通話中に電話番号を参照相手に音声通知することができる。
【００２３】
また、本実施例では、移動電話機１の通話者が通常の電話帳機能の起動と同じ処理を行っているため、特別な操作を必要とせずに、通話中に電話番号を参照相手に音声通知することができる。
【００２４】
尚、本発明は、上記の実施例において、電話帳データを文字列として検索結果記憶ブロック１３に記憶しているが、移動電話機１に外部通話装置を装着している場合、表示ブロック２０に表示された電話帳データを見ながら通話者自身が通知し、音声処理を行わないよう構成しても、また自動音声通知の可否を予め設定できるように構成してもよい。
【００２５】
さらに、本発明では、近年の電話帳に、住所やメールアドレス等の個人情報も含まれており、これらの個人情報も検索してテキスト情報として記憶することで、音声情報として通知することも可能である。この場合も、それらの個人情報を表示ブロック２０に表示することで、そのデータを見ながら通話者自身が通知し、音声処理を行わないよう構成してもよい。
【図面の簡単な説明】
【００２６】
【図１】本発明の一実施例による移動電話機の構成を示すブロック図である。
【図２】本発明の一実施例による移動電話機の動作を示すフローチャートである。
【符号の説明】
【００２７】
１  移動電話機
１１  携帯電話基本機能制御ブロック
１１ａ  ＣＰＵ
１１ｂ  記憶媒体
１２  電話帳機能ブロック
１３  検索結果記録ブロック
１４  音声合成処理ブロック
１５  音声入力処理ブロック
１６  マイク
１７  音声出力処理ブロック
１８  スピーカ
１９  キー入力ブロック
２０  表示ブロック
【図１】
2007053508.tif 000003
【図２】
2007053508.tif 000004